(57)【特許請求の範囲】
【請求項１】
ユーザの発した音声が入力され、音声信号として出力する音声入力手段と、
前記音声入力手段から出力された音声信号を解読し、前記解読した音声信号の音声パタンと、予め登録されている登録音声パタンとを比較する音声認識手段と、
前記音声認識手段により検索された音声パタンに対応する複数のデータを管理している電話帳を呼び出すメモリ検索処理手段と、を有し、
前記メモリ検索処理手段は、前記音声認識手段による比較の結果検索された前記音声信号の音声パタンと最も近似する前記登録音声パタンに対応する電話帳が管理している複数のデータから、起動しているアプリケーションを利用して通信を行う場合に適したデータを呼び出すことを特徴とする移動通信端末装置。
【請求項２】
前記電話帳が管理する前記複数のデータは、少なくとも、電話番号、メールアドレス、およびＵＲＬを含むことを特徴とする請求項１記載の移動通信端末装置。
【請求項３】
前記メモリ検索処理手段により呼び出されたデータを表示する表示手段をさらに有することを特徴とする請求項１又は２記載の移動通信端末装置。
【請求項４】
ユーザの発した音声が入力され、音声信号として出力する音声入力手段と、
前記音声入力手段から出力された音声信号を解読し、前記解読した音声信号の音声パタンと、予めデータごとに独立に登録されている登録音声パタンとを比較する音声認識手段と、
前記音声認識手段により検索された音声パタンに対応するデータを呼び出すメモリ検索処理手段と、
前記登録音声パタンを機能別に分けたテーブルと、
前記登録音声パタンのテーブルを特定のボタン押下により指定する操作手段と、を有し、
前記メモリ検索処理手段は、前記操作手段により指定されたテーブルの登録音声パタンのうち、前記音声認識手段による比較の結果検索された前記音声信号の音声パタンと最も近似する前記登録音声パタンに対応するデータを呼び出すことを特徴とする移動通信端末装置。
【請求項５】
ユーザの発した音声が入力され、音声信号として出力する音声入力手段と、
前記音声入力手段から出力された音声信号を解読し、前記解読した音声信号の音声パタンと、予めデータごとに独立に登録されている登録音声パタンとを比較する音声認識手段と、
前記音声認識手段により検索された音声パタンに対応するデータを呼び出すメモリ検索処理手段と、
前記登録音声パタンを機能別に分けたテーブルと、を有し、
前記メモリ検索処理手段は、起動しているアプリケーションを利用して通信を行う場合に適したテーブルを選択し、前記選択されたテーブルの登録音声パタンのうち、前記音声認識手段による比較の結果検索された前記音声信号の音声パタンと最も近似する前記登録音声パタンに対応するデータを呼び出すことを特徴とする移動通信端末装置。
【請求項６】
前記登録音声パタンは、少なくとも、電話番号検索用音声パタン、メールアドレス検索用音声パタン、およびＵＲＬ検索用音声パタンが各々独立して登録されていることを特徴とする請求項４又は５記載の移動通信端末装置。
【請求項７】
前記メモリ検索処理手段により呼び出されたデータを表示する表示手段をさらに有することを特徴とする請求項４から６のいずれか１項に記載の移動通信端末装置。
【請求項８】
ユーザの発した音声が入力され、音声信号として出力する音声入力工程と、
前記音声入力工程により出力された音声信号を解読し、前記解読した音声信号の音声パタンと、予め登録されている登録音声パタンとを比較する音声認識工程と、
前記音声認識工程により検索された音声パタンに対応する複数のデータを管理している電話帳を呼び出すメモリ検索工程と、を有し、
前記メモリ検索工程は、前記音声認識工程による比較の結果検索された前記音声信号の音声パタンと最も近似する前記登録音声パタンに対応する電話帳が管理している複数のデータから、起動しているアプリケーションを利用して通信を行う場合に適したデータを呼び出すことを特徴とする音声認識方法。
【請求項９】
前記電話帳が管理する前記複数のデータは、少なくとも、電話番号、メールアドレス、およびＵＲＬを含むことを特徴とする請求項８記載の音声認識方法。
【請求項１０】
前記メモリ検索工程により呼び出されたデータを表示する表示工程をさらに有することを特徴とする請求項８又は９記載の音声認識方法。
【請求項１１】
ユーザの発した音声が入力され、音声信号として出力する音声入力工程と、
前記音声入力工程により出力された音声信号を解読し、前記解読した音声信号の音声パタンと、予めデータごとに独立に登録されている登録音声パタンとを比較する音声認識工程と、
前記音声認識工程により検索された音声パタンに対応するデータを呼び出すメモリ検索工程と、
前記登録音声パタンを機能別に分けたテーブルと、
前記登録音声パタンのテーブルを特定のボタン押下により指定する操作工程と、を有し、
前記メモリ検索工程は、前記操作手段により指定されたテーブルの登録音声パタンのうち、前記音声認識工程による比較の結果検索された前記音声信号の音声パタンと最も近似する前記登録音声パタンに対応するデータを呼び出すことを特徴とする音声認識方法。
【請求項１２】
ユーザの発した音声が入力され、音声信号として出力する音声入力工程と、
前記音声入力工程により出力された音声信号を解読し、前記解読した音声信号の音声パタンと、予めデータごとに独立に登録されている登録音声パタンとを比較する音声認識工程と、
前記音声認識工程により検索された音声パタンに対応するデータを呼び出すメモリ検索工程と、を有し、
前記登録音声パタンは、機能別のテーブルに分けられ、
前記メモリ検索工程は、起動しているアプリケーションを利用して通信を行う場合に適したテーブルを選択し、前記選択されたテーブルの登録音声パタンのうち、前記音声認識工程による比較の結果検索された前記音声信号の音声パタンと最も近似する前記登録音声パタンに対応するデータを呼び出すことを特徴とする音声認識方法。
【請求項１３】
前記登録音声パタンは、少なくとも、電話番号検索用音声パタン、メールアドレス検索用音声パタン、およびＵＲＬ検索用音声パタンが各々独立して登録されていることを特徴とする請求項１１又は１２記載の音声認識方法。
【請求項１４】
前記メモリ検索工程により呼び出されたデータを表示する表示工程をさらに有することを特徴とする請求項１１から１３のいずれか１項に記載の音声認識方法。
【請求項１５】
ユーザの発した音声が入力され、音声信号として出力する音声入力処理と、
前記音声入力処理により出力された音声信号を解読し、前記解読した音声信号の音声パタンと、予め登録されている登録音声パタンとを比較する音声認識処理と、
前記音声認識処理により検索された音声パタンに対応する複数のデータを管理している電話帳を呼び出すメモリ検索処理と、を実行し、
前記メモリ検索処理は、前記音声認識処理による比較の結果検索された前記音声信号の音声パタンと最も近似する前記登録音声パタンに対応する電話帳が管理している複数のデータから、起動しているアプリケーションを利用して通信を行う場合に適したデータを呼び出すことを特徴とするプログラムを記録した記録媒体。
【請求項１６】
前記電話帳が管理する前記複数のデータは、少なくとも、電話番号、メールアドレス、およびＵＲＬを含むことを特徴とする請求項１５記載のプログラムを記録した記録媒体。
【請求項１７】
前記メモリ検索処理により呼び出されたデータを表示する表示処理をさらに実行することを特徴とする請求項１５又は１６記載のプログラムを記録した記録媒体。
【請求項１８】
ユーザの発した音声が入力され、音声信号として出力する音声入力処理と、
前記音声入力処理により出力された音声信号を解読し、該解読した音声信号の音声パタンと、予めデータごとに独立に登録されている登録音声パタンとを比較する音声認識処理と、
前記音声認識処理により検索された音声パタンに対応するデータを呼び出すメモリ検索処理と、
前記登録音声パタンを機能別に分けたテーブルと、
前記登録音声パタンのテーブルを特定のボタン押下により指定する操作処理と、を実行し、
前記メモリ検索処理は、前記操作処理により指定されたテーブルの登録音声パタンのうち、前記音声認識処理による比較の結果検索された前記音声信号の音声パタンと最も近似する前記登録音声パタンに対応するデータを呼び出すことを特徴とするプログラムを記録した記録媒体。
【請求項１９】
ユーザの発した音声が入力され、音声信号として出力する音声入力処理と、
前記音声入力処理により出力された音声信号を解読し、該解読した音声信号の音声パタンと、予めデータごとに独立に登録されている登録音声パタンとを比較する音声認識処理と、
前記音声認識処理により検索された音声パタンに対応するデータを呼び出すメモリ検索処理と、を実行し、
前記登録音声パタンは、機能別のテーブルに分けられ、
前記メモリ検索処理は、起動しているアプリケーションを利用して通信を行う場合に適したテーブルを選択し、前記選択されたテーブルの登録音声パタンのうち、前記音声認識処理による比較の結果検索された前記音声信号の音声パタンと最も近似する前記登録音声パタンに対応するデータを呼び出すことを特徴とするプログラムを記録した記録媒体。
【請求項２０】
前記登録音声パタンは、少なくとも、電話番号検索用音声パタン、メールアドレス検索用音声パタン、およびＵＲＬ検索用音声パタンが各々独立して登録されていることを特徴とする請求項１８又は１９記載のプログラムを記録した記録媒体。
【請求項２１】
前記メモリ検索処理により呼び出されたデータを表示する表示処理をさらに実行することを特徴とする請求項１８から２０のいずれか１項に記載のプログラムを記録した記録媒体。
【発明の詳細な説明】
【０００１】
【発明の属する技術分野】
本発明は、操作性を向上させるために利用されている音声認識技術を用いて、認識率を低下させずに容易に電話番号検索、メールアドレス検索等が可能な移動通信端末装置、音声認識方法、およびそのプログラムを記録した記録媒体に関する。
【０００２】
【従来の技術】
近年、携帯電話やＰＨＳといった移動通信端末装置は、音声認識技術を利用した電話番号検索や電話番号発信、機能呼び出し等ができる。例えば、相手の名前を受話器またはこれに代替する機器（マイクロホン、外部接続機器等）に向けて発声した言葉を基に、目的の電話帳または電話番号が検索でき、手入力によるキー操作の煩わしさが改善されている。
【０００３】
上記音声認識機能に関する従来技術例を図５に示す。図５は、従来の移動通信端末装置の音声認識による電話番号検索の構成を示すブロック図である。図５において、受話器またはこれに代替する機器（マイクロホン、外部接続機器等）である音声入力手段１より入力された名前等の音声は、音声認識手段２で読み取られる。
【０００４】
音声認識手段２により認識された音声データは、音声パタン５１と比較され、端末内に登録されている最も近い音声パタンが検索される。音声パタン５１の検索に成功した場合、音声・データ対応テーブル５０が参照され、端末内に登録されている電話番号５２がメモリ検索処理部３で検索される。その結果を表示部４に表示することができる。その後検索した電話番号で、通信制御部６、送受信部７、アンテナ８を介して相手に電話をかけることが可能となる。
【０００５】
【発明が解決しようとする課題】
しかしながら、上記従来技術には、次のような問題点があった。
第１の問題点は、端末内に登録されている音声パタンが多くなると、音声認識の認識率が低くなることである。その理由は、多数の音声パタンから、発声した音声と同じものを１件検索しようとした場合、似たような音声パタンをもつデータを誤検索する確率が高くなるためである。このため、音声パタンの数にある一定の制限を設ける必要がある。
【０００６】
第２の問題点は、移動通信端末装置の利用形態の多様化により、電話だけではなくメールやインターネットの利用が多くなることで、その操作等の煩わしさを改善する手段が求められていることである。これらに対応するために、メールやインターネットへの接続を電話番号と同様の音声パタンテーブルで一元管理した場合、更に多くの音声パタンが必要となる。その結果、第１の問題点同様、音声認識の認識率が下がることになる。あるいは、認識率を一定に保つためには、登録できる音声パタンの数を減らす必要がある。
【０００７】
第３の問題点は、音声パタンは同一の語を登録することができないことである。その理由は、同一の音声パタンに複数の機能を持たせると、それらの機能が競合する不具合を生じるためである。
【０００８】
本発明は、上記問題点に鑑みなされたものであり、認識率を低下させずに容易に電話番号検索、メールアドレス検索等が可能な移動通信端末装置、音声認識方法、およびそのプログラムを記録した記録媒体を提供することを目的とする。
【０００９】
【課題を解決するための手段】
かかる目的を達成するために、請求項１記載の発明は、ユーザの発した音声が入力され、音声信号として出力する音声入力手段と、前記音声入力手段から出力された音声信号を解読し、前記解読した音声信号の音声パタンと、予め登録されている登録音声パタンとを比較する音声認識手段と、前記音声認識手段により検索された音声パタンに対応する複数のデータを管理している電話帳を呼び出すメモリ検索処理手段と、を有し、前記メモリ検索処理手段は、前記音声認識手段による比較の結果検索された前記音声信号の音声パタンと最も近似する前記登録音声パタンに対応する電話帳が管理している複数のデータから、起動しているアプリケーションを利用して通信を行う場合に適したデータを呼び出すことを特徴とする。
【００１０】
請求項２記載の発明は、請求項１記載の発明において、前記電話帳が管理する前記複数のデータは、少なくとも、電話番号、メールアドレス、およびＵＲＬを含むことを特徴とする。
【００１１】
請求項３記載の発明は、請求項１又は２記載の発明において、前記メモリ検索処理手段により呼び出されたデータを表示する表示手段をさらに有することを特徴とする。
【００１２】
請求項４記載の発明は、ユーザの発した音声が入力され、音声信号として出力する音声入力手段と、前記音声入力手段から出力された音声信号を解読し、前記解読した音声信号の音声パタンと、予めデータごとに独立に登録されている登録音声パタンとを比較する音声認識手段と、前記音声認識手段により検索された音声パタンに対応するデータを呼び出すメモリ検索処理手段と、前記登録音声パタンを機能別に分けたテーブルと、前記登録音声パタンのテーブルを特定のボタン押下により指定する操作手段と、を有し、前記メモリ検索処理手段は、前記操作手段により指定されたテーブルの登録音声パタンのうち、前記音声認識手段による比較の結果検索された前記音声信号の音声パタンと最も近似する前記登録音声パタンに対応するデータを呼び出すことを特徴とする。
【００１３】
請求項５記載の発明は、ユーザの発した音声が入力され、音声信号として出力する音声入力手段と、前記音声入力手段から出力された音声信号を解読し、前記解読した音声信号の音声パタンと、予めデータごとに独立に登録されている登録音声パタンとを比較する音声認識手段と、前記音声認識手段により検索された音声パタンに対応するデータを呼び出すメモリ検索処理手段と、前記登録音声パタンを機能別に分けたテーブルと、を有し、前記メモリ検索処理手段は、起動しているアプリケーションを利用して通信を行う場合に適したテーブルを選択し、前記選択されたテーブルの登録音声パタンのうち、前記音声認識手段による比較の結果検索された前記音声信号の音声パタンと最も近似する前記登録音声パタンに対応するデータを呼び出すことを特徴とする。
【００１４】
請求項６記載の発明は、請求項４又は５記載の発明において、前記登録音声パタンは、少なくとも、電話番号検索用音声パタン、メールアドレス検索用音声パタン、およびＵＲＬ検索用音声パタンが各々独立して登録されていることを特徴とする。
【００１５】
請求項７記載の発明は、請求項４から６のいずれか１項に記載の発明において、前記メモリ検索処理手段により呼び出されたデータを表示する表示手段をさらに有することを特徴とする。
【００１６】
請求項８記載の発明は、ユーザの発した音声が入力され、音声信号として出力する音声入力工程と、前記音声入力工程により出力された音声信号を解読し、前記解読した音声信号の音声パタンと、予め登録されている登録音声パタンとを比較する音声認識工程と、前記音声認識工程により検索された音声パタンに対応する複数のデータを管理している電話帳を呼び出すメモリ検索工程と、を有し、前記メモリ検索工程は、前記音声認識工程による比較の結果検索された前記音声信号の音声パタンと最も近似する前記登録音声パタンに対応する電話帳が管理している複数のデータから、起動しているアプリケーションを利用して通信を行う場合に適したデータを呼び出すことを特徴とする。
【００１７】
請求項９記載の発明は、請求項８記載の発明において、前記電話帳が管理する前記複数のデータは、少なくとも、電話番号、メールアドレス、およびＵＲＬを含むことを特徴とする。
【００１８】
請求項１０記載の発明は、請求項８又は９記載の発明において、前記メモリ検索工程により呼び出されたデータを表示する表示工程をさらに有することを特徴とする。
【００１９】
請求項１１記載の発明は、ユーザの発した音声が入力され、音声信号として出力する音声入力工程と、前記音声入力工程により出力された音声信号を解読し、前記解読した音声信号の音声パタンと、予めデータごとに独立に登録されている登録音声パタンとを比較する音声認識工程と、前記音声認識工程により検索された音声パタンに対応するデータを呼び出すメモリ検索工程と、前記登録音声パタンを機能別に分けたテーブルと、前記登録音声パタンのテーブルを特定のボタン押下により指定する操作工程と、を有し、前記メモリ検索工程は、前記操作手段により指定されたテーブルの登録音声パタンのうち、前記音声認識工程による比較の結果検索された前記音声信号の音声パタンと最も近似する前記登録音声パタンに対応するデータを呼び出すことを特徴とする。
【００２０】
請求項１２記載の発明は、ユーザの発した音声が入力され、音声信号として出力する音声入力工程と、前記音声入力工程により出力された音声信号を解読し、前記解読した音声信号の音声パタンと、予めデータごとに独立に登録されている登録音声パタンとを比較する音声認識工程と、前記音声認識工程により検索された音声パタンに対応するデータを呼び出すメモリ検索工程と、を有し、前記登録音声パタンは、機能別のテーブルに分けられ、前記メモリ検索工程は、起動しているアプリケーションを利用して通信を行う場合に適したテーブルを選択し、前記選択されたテーブルの登録音声パタンのうち、前記音声認識工程による比較の結果検索された前記音声信号の音声パタンと最も近似する前記登録音声パタンに対応するデータを呼び出すことを特徴とする。
【００２１】
請求項１３記載の発明は、請求項１１又は１２記載の発明において、前記登録音声パタンは、少なくとも、電話番号検索用音声パタン、メールアドレス検索用音声パタン、およびＵＲＬ検索用音声パタンが各々独立して登録されていることを特徴とする。
【００２２】
請求項１４記載の発明は、請求項１１から１３のいずれか１項に記載の発明において、前記メモリ検索工程により呼び出されたデータを表示する表示工程をさらに有することを特徴とする。
【００２３】
請求項１５記載の発明は、ユーザの発した音声が入力され、音声信号として出力する音声入力処理と、前記音声入力処理により出力された音声信号を解読し、前記解読した音声信号の音声パタンと、予め登録されている登録音声パタンとを比較する音声認識処理と、前記音声認識処理により検索された音声パタンに対応する複数のデータを管理している電話帳を呼び出すメモリ検索処理と、を実行し、前記メモリ検索処理は、前記音声認識処理による比較の結果検索された前記音声信号の音声パタンと最も近似する前記登録音声パタンに対応する電話帳が管理している複数のデータから、起動しているアプリケーションを利用して通信を行う場合に適したデータを呼び出すことを特徴とする。
【００２４】
請求項１６記載の発明は、請求項１５記載の発明において、前記電話帳が管理する前記複数のデータは、少なくとも、電話番号、メールアドレス、およびＵＲＬを含むことを特徴とする。
【００２５】
請求項１７記載の発明は、請求項１５又は１６記載の発明において、前記メモリ検索処理により呼び出されたデータを表示する表示処理をさらに実行することを特徴とする。
【００２６】
請求項１８記載の発明は、ユーザの発した音声が入力され、音声信号として出力する音声入力処理と、前記音声入力処理により出力された音声信号を解読し、該解読した音声信号の音声パタンと、予めデータごとに独立に登録されている登録音声パタンとを比較する音声認識処理と、前記音声認識処理により検索された音声パタンに対応するデータを呼び出すメモリ検索処理と、前記登録音声パタンを機能別に分けたテーブルと、前記登録音声パタンのテーブルを特定のボタン押下により指定する操作処理と、を実行し、前記メモリ検索処理は、前記操作処理により指定されたテーブルの登録音声パタンのうち、前記音声認識処理による比較の結果検索された前記音声信号の音声パタンと最も近似する前記登録音声パタンに対応するデータを呼び出すことを特徴とする。
【００２７】
請求項１９記載の発明は、ユーザの発した音声が入力され、音声信号として出力する音声入力処理と、前記音声入力処理により出力された音声信号を解読し、該解読した音声信号の音声パタンと、予めデータごとに独立に登録されている登録音声パタンとを比較する音声認識処理と、前記音声認識処理により検索された音声パタンに対応するデータを呼び出すメモリ検索処理と、を実行し、前記登録音声パタンは、機能別のテーブルに分けられ、前記メモリ検索処理は、起動しているアプリケーションを利用して通信を行う場合に適したテーブルを選択し、前記選択されたテーブルの登録音声パタンのうち、前記音声認識処理による比較の結果検索された前記音声信号の音声パタンと最も近似する前記登録音声パタンに対応するデータを呼び出すことを特徴とする。
【００２８】
請求項２０記載の発明は、請求項１８又は１９記載の発明において、前記登録音声パタンは、少なくとも、電話番号検索用音声パタン、メールアドレス検索用音声パタン、およびＵＲＬ検索用音声パタンが各々独立して登録されていることを特徴とする。
【００２９】
請求項２１記載の発明は、請求項１８から２０のいずれか１項に記載の発明において、前記メモリ検索処理により呼び出されたデータを表示する表示処理をさらに実行することを特徴とする。
【００３９】
【発明の実施の形態】
以下、本発明の実施の形態を添付図面を参照しながら詳細に説明する。
【００４０】
図１は、本発明の第１の実施の形態における移動通信端末装置の構成を示すブロック図である。本実施の形態にかかる移動通信端末装置は、音声入力手段１、音声認識手段２、メモリ機能処理部３、表示部４、音声検索処理部５、通信制御部６、送受信部７、アンテナ８、およびボタン操作部９を有する。
【００４１】
音声入力手段１は、受話器やマイクロホン、または外部接続の音声入力装置であり、ユーザが発声した音声信号を音声認識手段２に伝達する機能を有する。音声認識手段２は、音声入力手段１より送信された音声データを解読し、解読した音声パタンと、音声検索処理部５内にあらかじめ登録してある１つ以上の音声パタン５１との比較を行う。
【００４２】
メモリ検索処理部３は、音声検索処理部５内に登録されている電話帳５５の検索を行う。電話帳５５の中には個々人のデータ、つまり電話番号５２、メールアドレス５３、ＵＲＬ５４等のデータが登録されている。
【００４３】
電話帳５５は、個人へのコミュニケーション手段が多様化してきたことに対応するためのものである。即ち、従来、個人へのコミュニケーション手段は、電話、郵便等に限られていた。この点、インタネットの爆発的普及により、電子メールや個人のホームページに情報を掲載するといったコミュニケーション手段が一般化してきた。したがって、メモリに１人の連絡先を登録するのに、連絡先として、複数の情報を登録しなければならない。したがって、上記従来技術のように、電話番号５２に直接音声パタンを５１を対応させると、登録限度数を超えてしまうことになる。この点、電話帳５５を設けると、１つの音声パタン５１に１人を対応させることができることになる。
【００４４】
音声検索処理部５は、後述する音声パタン５１と電話帳５５との１対１の音声・データ対応テーブルを記憶している。また、後述するボタン操作部９からの操作による電話帳５５の各種データ、つまり電話番号５２、メールアドレス５３、ＵＲＬ５４等の呼び出し対応テーブルも記憶している。音声認識手段２で検索された音声パタン５１に対応した電話帳５５の検索結果の可否は、メモリ検索処理部３を介して、表示部４に表示される。
【００４５】
ボタン操作部９は、「電話」ボタン９２、「メール」ボタン９３、「インターネット」ボタン９４を有する。当該ボタンのＯＮ／ＯＦＦ状態や、ボタン押下による端末状態の変化を音声検索処理部５に通知する。これらの操作により、どの種類のデータを呼び出すかを指示することができる。尚、ボタンの割り当てに関しては、上記３種類のボタン操作方法が独立であれば、どのボタンに割り当てても構わない。
【００４６】
また、ボタン操作９による手段ではなく、アプリケーションの起動状態の検知を音声検索処理部５に通知してもよい。即ち、移動通信端末装置が通常モードのときには、自動的に電話番号５２を、メールソフトが起動されたときには、自動的にメールアドレス５３を、ブラウザを起動しているときには、ＵＲＬ５４を呼び出す。検索した結果を基に、通信制御部６、送受信部７、アンテナ８を利用して外部との発呼やメール送信、インターネット接続等を可能とする。
【００４７】
次に、図１及び図２を参照して、本実施の形態にかかる移動通信端末装置を利用した音声認識方法について説明する。図２は、本実施の形態における音声・データ対応テーブルを示す図である。
【００４８】
まず、受話器やマイクロホン等で構成される音声入力手段１に向かって、ユーザは、電話をかけたい人の名前等を発声する。発声された音声データは、音声認識手段２に伝達される。音声認識手段２は、当該音声データの解読を行い、当該解読した音声データのパタンと、あらかじめ端末内に登録されている少なくとも１つ以上の音声パタン５１と比較する。
【００４９】
具体的には、音声認識手段２は、ＦＦＴ（高速フーリエ変換）やＬＰＣ（線形予測分析）に基づくデジタル信号処理により、音声波形信号から音声の特徴を抽出する。該抽出した特徴と、あらかじめ用意された音声パタン５１とを確率・統計的手法により比較する。
【００５０】
音声パタン５１は、一般的にカナやアルファベット等に対する標準音声パタンである。標準音声パタンは、多数話者の発生音声サンプルからＨＭＭ（隠れマルコフモデル）の確率パラメータを推定して生成する。
【００５１】
ユーザは、例えば「サトウ」等の文字情報を登録しておく。ここで、発声する言葉、登録されている音声パタン５１は、必ずしも名前である必要はなく、ニックネームや他の名称等でもよい。音声パタン５１の編集機能を持たせれば、その変更は容易に可能である。同姓等の場合に対応するためである。
【００５２】
ユーザが発声した音声データと、音声検索処理部５内に登録されている音声パタン５１とが近似、または一致した場合は、図２の音声・データ対応テーブル５０を参照する。参照の結果、検索した音声パタン５１に対応した電話帳５５が呼び出される。電話帳５５の呼び出し動作は、メモリ検索処理部３が行う。検索結果は、表示部４に表示される。尚、各音声パタン５１と電話帳５５とは、１対１で対応しており、複数の電話帳５５が呼び出されることはない。
【００５３】
音声パタン５１から各種データを呼び出す方法について、図２を参照して説明する。本実施の形態においては、音声パタン５１は、電話帳５５の名前と対応している。音声・データ対応テーブル５０を参照して検索した電話帳５５には電話番号５２、メールアドレス５３、ＵＲＬ５４が個人データとして登録されている。
【００５４】
上記各種データを呼び出す方法に関して、一例としてボタン操作部９から「電話」ボタン９２を押下した場合について説明する。ユーザは、ボタン操作部９から「電話」ボタン９２を押下し、音声入力手段１から音声を入力すると、電話番号５２のみのデータの呼び出しが可能となる。
【００５５】
音声として「サトウ」を発声した場合は、電話帳５５の「佐藤」を検索し、電話番号５２「ＸＸＸ−ＸＸＸ−ＸＸＸＸ」が呼び出される。それ以外の個人データであるメールアドレス５３やＵＲＬ５４は呼び出されない。仮に、検索した電話帳５５の中に電話番号５２が登録されていない場合は、表示部４にその旨を表示する。「メール」ボタン９３を押下、「インターネット」ボタン９４を押下した場合も同様に、その機能が有するデータのみ呼び出すことができる。
【００５６】
「電話」９２、「メール」９３、「インターネット」９４のボタン名や種類に関しては、特に制限はなく、ボタン操作も単にＯＮ／ＯＦＦ状態だけではなく、上記３種類のボタン操作方法が独立であれば、どのボタンに割り当てても構わない。また、ボタン操作ではなく、アプリケーション起動状態によって、呼び出すデータの種類を変えることも可能である。例えば、ブラウザを立ち上げている時は、ＵＲＬ５４のみを呼び出す等の区別が可能であり、ボタン操作は不要となる。
【００５７】
呼び出されたデータは、表示部４に表示することが可能であり、通信制御部６、送受信部７、アンテナ８等、通信手段を用いて、電話番号の発呼、メールの送信、ＵＲＬの接続が可能となる。
【００５８】
次に、本発明の第２の実施の形態について図面を参照して詳細に説明する。図３は、本発明の第２の実施の形態における移動通信端末装置の構成を示すブロック図である。図３を参照すると、音声検索処理部５が第１の実施の形態と異なる。その他の構成・機能に関しては、第１の実施の形態と同様であるため、説明を省略する。
【００５９】
本実施の形態における音声検索処理部５の音声パタンは、機能により３種類のテーブルに分かれている。つまり、電話番号５２呼び出し用の音声パタン１のテーブル５１２、メールアドレス５３呼び出し用の音声パタン２のテーブル５１３、およびＵＲＬ５４呼び出し用の音声パタン３のテーブル５１４が存在する。各音声パタン５１２、５１３、５１４の同一テーブルに同じ音声パタンは登録できない。別テーブルに対しては、同じ音声パタンの登録が可能である。
【００６０】
図４は、本発明の第２の実施の形態における音声・データ対応テーブルを示す図である。図４の音声・データ対応テーブル５０を参照すると、ボタン操作部９からの操作により、各音声パタン５１２、５１３、５１４のテーブルを選択することができ、それぞれ目的の電話番号５２、メールアドレス５３、ＵＲＬ５４を呼び出すことができる。本実施の形態は、第１の実施の形態のように、音声パタン５１のテーブルが１つではなく、電話番号５２、メールアドレス５３等のジャンルに対応したテーブル数となる。そして、検索は、各テーブル単位ごとに行われるため、音声認識率を維持することができる。
【００６１】
一例として「メール」ボタン９３押下によるメールアドレス呼び出しについて説明する。図４を参照すると、「メール」ボタン９３押下により、音声パタン２のテーブル５１３が有効になる。この時に、音声入力手段１に、「スズキ」と発声した場合は、メールアドレス「ｓｕｚｕｋｉ＠ｙｙ．ｎｅ．ｊｐ」を呼び出すことができる。尚、ボタン操作９でなくとも、アプリケーションの起動状態によって、音声パタン５１２、５１３、５１４を選択する方法でもよい。例えば、メールソフトを立ち上げているときは、音声パターン２のテーブル５１３が有効になるようにする。
【００６２】
第１の実施の形態においては、電話帳５５毎に呼び出すため、呼び出された電話帳５５内に一部データが登録されていない場合、例えば、図２の電話帳「鈴木」のようにＵＲＬ５４が含まれていない場合は、データを呼び出すことは不可能である。この点、本実施の形態においては、データの種類により音声パタンを分けているため、音声パタンが識別できれば、それに対応するデータは必ず呼び出すことができる。したがって、より多くのデータが音声呼び出しの対象となるという新たな効果が生じる。
【００６３】
また、本実施の形態においては、音声パタンの登録数は、音声パタンのテーブルを複数で管理しているため、端末全体で見た場合、第１の実施の形態よりも多くなる。また、本実施の形態においても、第１の実施の形態の同様に、音声認識率の精度を維持しながら、多くのデータを管理することができ、操作性がよい。
【００６４】
なお、本発明の音声認識方法をプログラムにより実行可能である。当該プログラムは、磁気記録媒体、光記録媒体、または半導体記録媒体に記録されて提供されるか、またはネットワークを介して、ＦＴＰ（ファイル転送プロトコル）により移動通信端末装置にダウンロードされる。
【００６５】
なお、上述した実施の形態は、本発明の好適な実施の形態の一例であり、本発明はそれに限定されることなく、その要旨を逸脱しない範囲内において種々変形実施が可能である。
【００６６】
例えば、上記の説明において、電話帳５５の項目として、電話番号５２、メールアドレス５３、およびＵＲＬ５４の３項目の例を説明した。この点に関し、携帯電話やＰＨＳ等の移動通信端末と、自宅に設置されている加入電話の両方を所有している人が増えている。これに鑑み、電話番号を携帯電話等の電話番号と、加入電話の電話番号とに分けて、４項目としてもよい。
【００６７】
また、音声検索処理部５の電話番号５２の項目に携帯電話の番号と加入電話の番号とを両方登録しておき、電話ボタン９２が押下されると、両方の電話番号を呼び出してもよい。この場合、表示部４に２つの電話番号が表示された状態で、ユーザは、どちらかの番号を任意に選択し発呼する。当該発呼に対し応答がない場合、ユーザは、もう一方の電話番号にすぐ発呼することができる。また、応答がない場合、自動的にもう一方の電話番号に発呼する構成としてもい。
【００６８】
【発明の効果】
以上の説明から明らかなように、本発明の第１の効果は、同一の音声パタンで複数のデータを呼び出すことができることにある。その理由は、ボタン操作との併用で、各種のデータ（電話番号、メールアドレス、ＵＲＬ等）を独立して呼び出すことができるためである。その結果、多様化する移動通信端末装置の操作性の煩わしさが改善できる。
【００６９】
第２の効果は、音声パタンと電話帳とを１対１にすることにより、従来、主であった音声パタンと電話番号（あるいはメールアドレス等）の１対１の関係を、１元管理する必要がなくなったことである。その結果、音声パタンを少なくでき、データ量が増えても音声認識率の低下を防ぐことができる。
【図面の簡単な説明】
【図１】本発明の第１の実施の形態における移動通信端末装置の構成を示すブロック図である。
【図２】本発明の第１の実施の形態における音声・データ対応テーブルを示す図である。
【図３】本発明の第２の実施の形態における移動通信端末の装置の構成を示すブロック図である。
【図４】本発明の第２の実施の形態における音声・データ対応テーブルを示す図である。
【図５】従来技術における移動通信端末装置の構成を示すブロック図である。
【符号の説明】
１  音声入力手段
２  音声認識手段
３  メモリ検索処理部
４  表示部
５  音声検索処理部
６  通信制御部
７  送受信部
８  アンテナ
９  ボタン操作部
【図１】
0004240807.tif 000002
【図２】
0004240807.tif 000003
【図３】
0004240807.tif 000004
【図４】
0004240807.tif 000005
【図５】
0004240807.tif 000006